(57)【要約】　　　（修正有）【課題】利用者情報を管理して、利用者に合った情報を選択し、各利用者が使用する様々な機器に合わせて表示情報を構成する情報提供装置を提供する。【解決手段】ネットワーク１０２１を介してサーバ１０１１に接続され、サーバ１０１１からの情報を表示する表示部１０５１とを有する端末１０３１において、操作履歴１３２１を含む個人情報１３０１と、通信手段１１１１と、利用者の操作時刻に対応して検出した操作履歴からサーバ１０１１への検索要求を作成する検索要求作成手段１１４１と、検索結果から表示情報を作成する表示情報作成手段１１５１と、検索結果の表示情報を入出力手段を介して表示する表示部１０５１とを備え、操作時刻に対応する操作履歴からこの操作履歴に対応する現在の情報をサーバ１０１１から検索して表示部に自律的に表示する。【選択図】　　　　図１
2004021358.tif 000002
【特許請求の範囲】
【請求項１】
ネットワークを介してサーバに接続され、利用者により情報を入力する入力部と前記サーバからの情報を表示する表示部とを有する情報提供装置において、操作履歴を含む個人情報と、前記ネットワークを介して通信する通信手段と、前記入力部から入力された前記操作履歴についての実行予約時刻と現在時刻とを比較した結果に応じて前記操作履歴を検出する個人情報管理手段と、検出した操作履歴から前記サーバへの検索要求を作成する検索要求作成手段と、検索結果から表示情報を作成する表示情報作成手段と、前記検索結果の表示情報を前記表示部に出力する出力手段とを備え、前記個人情報管理手段で検出された前記操作履歴に対応する現在の情報を前記サーバから検索して前記表示部に表示することを特徴とする情報提供装置。
【請求項２】
前記個人情報管理手段は利用者のプロファイルを前記個人情報に追加して管理し、前記検索要求作成手段は前記操作履歴に加え前記プロファイルに基づき前記サーバに対する検索要求を作成することを特徴とする請求項１記載の情報提供装置。
【請求項３】
利用者の位置を取得する位置情報取得手段を備え、前記個人情報管理手段が前記位置を前記個人情報に追加して管理し、前記検索要求作成手段は前記操作履歴に加え前記位置に基づき前記サーバに対する検索要求を作成することを特徴とする請求項１または２記載の情報提供装置。
【請求項４】
前記個人情報管理手段は利用者のシチュエーションを前記個人情報に追加して管理し、前記検索要求作成手段は前記操作履歴に加え前記シチュエーションに基づき前記サーバに対する検索要求を作成することを特徴とする請求項１ないし３のいずれかに記載の情報提供装置。
【請求項５】
前記通信手段により前記ネットワークを介して行われた他の利用者の管理する他の情報提供装置との通信結果を前記個人情報管理手段により前記シチュエーションに反映し、前記検索要求作成手段は前記操作履歴に加え前記他の情報提供装置との前記通信結果を反映した前記シチュエーションに基づき前記サーバに対する検索要求を作成することを特徴とする請求項１ないし４のいずれかに記載の情報提供装置。
【請求項６】
前記個人情報管理手段は利用者以外のＩＤを前記個人情報に追加して管理し、前記通信手段は前記ネットワークを介して前記利用者以外のＩＤを管理する他の情報提供装置と通信した結果を前記シチュエーションに反映し、前記検索要求作成手段は前記操作履歴に加えて前記シチュエーションに基づき前記サーバに対する検索要求を作成することを特徴とする請求項１ないし５のいずれかに記載の情報提供装置。
【請求項７】
前記表示部に表示する情報の文書を要約する文書要約手段を備え、前記表示情報作成手段は前記表示部の表示環境情報を取得し、表示する情報に対する表示環境が不十分な場合に前記文書要約手段により表示する情報を要約しまたは縮小することを特徴とする請求項１ないし６のいずれかに記載の情報提供装置。
【請求項８】
前記表示部に表示する情報を音声に変換する音声変換手段を備え、前記表示情報作成手段は前記表示部の表示環境の情報を取得し、取得した前記表示環境の情報に従い表示情報の音声出力が要求された場合、前記音声変換手段により前記表示情報を音声情報に変換して出力することを特徴とする請求項１ないし７のいずれかに記載の情報提供装置。
【請求項９】
前記表示部に表示する情報から印刷情報を作成する印刷情報作成手段を備え、前記表示情報作成手段は前記表示部の表示領域の情報を取得し、表示環境に従い表示情報の印刷が要求された場合、前記印刷情報作成手段により前記表示情報を前記印刷情報に変換して出力することを特徴とする請求項１ないし８のいずれかに記載の情報提供装置。
【請求項１０】
前記通信手段は前記ネットワークを介して他の情報提供装置または前記サーバとの通信を行う前に、利用者に対し通信の可否を確認することを特徴とする請求項１ないし９のいずれかに記載の情報提供装置。
【請求項１１】
前記個人情報管理手段は利用者のメールアカウント、パスワード、メールサーバおよびメール保存アドレスを前記個人情報のプロファイルに追加して管理し、前記メールサーバより前記利用者宛のメールを受信して前記メール保存アドレスに受信したメールを保存し、前記メールの全文もしくは要約を前記表示部に表示することを特徴とする請求項１ないし１０のいずれかに記載の情報提供装置。
【請求項１２】
前記情報提供装置は携帯電話であることを特徴とする請求項１ないし１１のいずれかに記載の情報提供装置。
【請求項１３】
情報提供装置の処理を開始し、現在時刻を取得し、個人情報における次に実行すべき操作履歴を確認し、前記操作履歴を実行すべき時刻になるまで現在時刻を確認し、実行すべき時刻になったときに前記操作履歴に基づきサーバに対する検索条件を作成し、ネットワークを介して前記サーバを検索し、検索結果から表示情報を作成して表示部に表示することを特徴とする情報提供方法。
【請求項１４】
前記検索条件に対し前記個人情報のプロファイル、位置またはシチュエーションに基づく情報を付加する工程を有することを特徴とする請求項１２記載の情報提供方法。
【請求項１５】
他人の情報提供装置と通信して得た他のシチュエーションに基づく情報を前記検索条件に付加する工程を有することを特徴とする請求項１２または１３記載の情報提供方法。
【請求項１６】
前記表示部の表示環境を取得し、前記表示環境に合わせて情報を作成する工程を有することを特徴とする請求項１２ないし１４のいずれかに記載の情報提供方法。
【請求項１７】
請求項１２ないし１５のいずれかに記載の情報提供方法における各手順を実行させるための情報提供プログラムを記録したコンピュータ読み取り可能な記録媒体。
【請求項１８】
情報を格納したサーバと、利用者により情報を入力する入力部と前記サーバからの情報を表示する表示部とを有する端末とがコンピュータネットワークを介して接続された情報提供システムにおいて、前記端末は、利用者のＩＤおよび操作履歴からなる個人情報と、ネットワークを介して通信する通信手段と、現在時刻を取得する時刻取得手段と、前記入力部から入力した利用者の操作指示を蓄積し、前記操作の時刻情報に対応する操作履歴を検出する個人情報管理手段と、検出した操作履歴から前記サーバへの検索要求を作成する検索要求作成手段と、検索結果から表示情報を作成する表示情報作成手段と、前記入力部から利用者の操作指示を入力し前記表示部に表示情報を出力する入出力手段とを有し、前記操作の時刻に対応する前記操作履歴から前記操作履歴に対応する現在の情報を前記サーバから検索して前記表示部に表示することを特徴とする情報提供システム。
【請求項１９】
前記サーバは利用者の個人情報を含む情報提供プログラムを格納するプログラム格納領域を備え、利用者による端末変更の指示、または利用者による端末利用停止の操作に基づき、前記端末は前記ネットワークを介して前記情報提供プログラムを前記サーバの前記プログラム格納領域に格納し、前記情報提供プログラムをいずれかの端末で使用する場合、前記情報提供プログラムを前記プログラム格納領域から使用する端末に移動することを特徴とする請求項１７記載の情報提供システム。
【請求項２０】
前記サーバは、前記プログラム格納領域に格納した情報提供プログラムの処理を続行することを特徴とする請求項１８記載の情報提供システム。
【請求項２１】
前記端末は前記情報提供プログラムを格納しまたは前記情報提供プログラムを読み出す記録媒体の入出力手段を備えることを特徴とする請求項１９記載の情報提供システム。
【発明の詳細な説明】
【０００１】
【発明の属する技術分野】
本発明は、利用者が必要とする情報を、コンピュータネットワークに接続されたサーバから検索して提供する情報提供装置に関する。
【０００２】
【従来の技術】
従来、この種の技術としては、特開２０００−２９９３２号公報に記載されたものが知られており、それは、情報を提供するサーバと受信した情報を表示する端末とで構成された情報提供システムにおいて、要求の異なる個々の利用者に対して情報を提供する際には、サーバは利用者のＩＤ、属性、プロファイル等の情報に応じて必要な情報を検索し、選択して提供するようにしている。
また、ネットワークの普及や高速化にともなって、企業および個人が不特定多数の利用者向けに提供する情報が増加しており、利用者はコンピュータ、携帯情報機器および携帯電話など多様な機器を介して自らが選択した情報を取得している。
【０００３】
【発明が解決しようとする課題】
しかしながら、上記従来の情報提供システムにおいては、複数回繰り返えして情報提供が要求される場合であっても、その度に利用者による操作が必要であること、サーバ側で管理すべき利用者情報が爆発的に増大すること、利用したい情報提供システムが増えた際には情報登録や利用者特定時の操作が利用者の負担になること、及び情報提供システムの利用時に多様な機器を使用することにより、取得した情報の管理が利用者の負担になること等という問題があった。
【０００４】
本発明は、上記従来の問題を解決するためになされたもので、利用者情報を管理して、利用者に合った情報を検索及び選択し、各利用者が使用する様々な機器に合わせて自動的に表示情報を構成する情報提供装置および方法、および情報提供システムを提供するものである。
【０００５】
【課題を解決するための手段】
本発明における情報提供装置は、ネットワークを介してサーバに接続され、利用者により情報を入力する入力部と前記サーバからの情報を表示する表示部とを有する情報提供装置において、操作履歴を含む個人情報と、前記ネットワークを介して通信する通信手段と、前記入力部から入力された前記操作履歴についての実行予約時刻と現在時刻とを比較した結果に応じて前記操作履歴を検出する個人情報管理手段と、検出した操作履歴から前記サーバへの検索要求を作成する検索要求作成手段と、検索結果から表示情報を作成する表示情報作成手段と、前記検索結果の表示情報を前記表示部に出力する出力手段とを備え、前記個人情報管理手段で検出された前記操作履歴に対応する現在の情報を前記サーバから検索して前記表示部に表示するという構成を有している。この構成により、利用者による操作を必要とせずに操作履歴に基づいた情報を提供することができることとなる。
【０００６】
本発明における情報提供装置は、前記個人情報管理手段が利用者のプロファイルを前記個人情報に追加して管理し、前記検索要求作成手段は前記操作履歴に加え前記プロファイルに基づき前記サーバに対する検索要求を作成するという構成を有している。この構成により、利用者のプロファイルに適合する情報を提供することができることとなる。
【０００７】
本発明における情報提供装置は、利用者の位置を取得する位置情報取得手段を備え、前記個人情報管理手段が前記位置を前記個人情報に追加して管理し、前記検索要求作成手段は前記操作履歴に加え前記位置に基づき前記サーバに対する検索要求を作成するという構成を有している。この構成により、利用者の位置に関連する情報を提供することができることとなる。
【０００８】
本発明における情報提供装置は、前記個人情報管理手段が利用者のシチュエーションを前記個人情報に追加して管理し、前記検索要求作成手段は前記操作履歴に加え前記シチュエーションに基づき前記サーバに対する検索要求を作成するという構成を有している。この構成により、利用者のシチュエーションに適合する情報を提供することができることとなる。
【０００９】
本発明における情報提供装置は、前記通信手段により前記ネットワークを介して行われた他の利用者の管理する他の情報提供装置との通信結果を前記個人情報管理手段により前記シチュエーションに反映し、前記検索要求作成手段は前記操作履歴に加え前記他の情報提供装置との前記通信結果を反映した前記シチュエーションに基づき前記サーバに対する検索要求を作成するという構成を有している。この構成により、複数の利用者のシチュエーションに適合する情報を提供することができることとなる。
【００１０】
本発明における情報提供装置は、前記個人情報管理手段が利用者以外のＩＤを前記個人情報に追加して管理し、前記通信手段は前記ネットワークを介して前記利用者以外のＩＤを管理する他の情報提供装置と通信した結果を前記シチュエーションに反映し、前記検索要求作成手段は前記操作履歴に加えて前記シチュエーションに基づき前記サーバに対する検索要求を作成するという構成を有している。この構成により、利用者とその家族や友人など知人のシチュエーションに適合する情報を提供することができることとなる。
【００１１】
本発明における情報提供装置は、前記表示部に表示する情報の文書を要約する文書要約手段を備え、前記表示情報作成手段は前記表示部の表示環境情報を取得し、表示する情報に対する表示環境が不十分な場合に前記文書要約手段により表示する情報を要約しまたは縮小するという構成を有している。この構成により、端末の表示環境に適合した情報表示が可能となり、使用する端末を替える場合の利用者の操作を軽減することができることとなる。
【００１２】
本発明における情報提供装置は、前記表示部に表示する情報を音声に変換する音声変換手段を備え、前記表示情報作成手段は前記表示部の表示環境の情報を取得し、取得した前記表示環境の情報に従い表示情報の音声出力が要求された場合、前記音声変換手段により前記表示情報を音声情報に変換して出力するという構成を有している。この構成により、音声出力端末に対応した情報を提供することができることとなる。
【００１３】
本発明における情報提供装置は、前記表示部に表示する情報から印刷情報を作成する印刷情報作成手段を備え、前記表示情報作成手段は前記表示部の表示領域の情報を取得し、表示環境に従い表示情報の印刷が要求された場合、前記印刷情報作成手段により前記表示情報を前記印刷情報に変換して出力するという構成を有している。この構成により、印刷端末に対応した情報を提供することができることとなる。
【００１４】
本発明における情報提供装置は、前記通信手段が前記ネットワークを介して他の情報提供装置または前記サーバとの通信を行う前に、利用者に対し通信の可否を確認するという構成を有している。この構成により、利用者の意思を尊重した上で情報を提供することができることとなる。
【００１５】
本発明における情報提供装置は、前記個人情報管理手段が利用者のメールアカウント、パスワード、メールサーバおよびメール保存アドレスを前記個人情報のプロファイルに追加して管理し、前記メールサーバより前記利用者宛のメールを受信して前記メール保存アドレスに受信したメールを保存し、前記メールの全文もしくは要約を前記表示部に表示するという構成を有している。この構成により、利用者は使用端末や接続先メールサーバへの操作およびメールの管理に関する操作を意識することなくメールを扱うことができることとなる。
【００１６】
本発明における情報提供装置は、前記情報提供装置が携帯電話であるという構成を有している。この構成により、利用者による操作を必要とせずに携帯電話を通して操作履歴に基づいた情報を提供することができることとなる。
【００１７】
本発明における情報提供方法は、情報提供装置の処理を開始し、現在時刻を取得し、個人情報における次に実行すべき操作履歴を確認し、前記操作履歴を実行すべき時刻になるまで現在時刻を確認し、実行すべき時刻になったときに前記操作履歴に基づきサーバに対する検索条件を作成し、ネットワークを介して前記サーバを検索し、検索結果から表示情報を作成して表示部に表示するという構成を有している。この構成により、利用者による操作を必要とせずに操作履歴に基づいた情報を提供することができることとなる。
【００１８】
本発明における情報提供方法は、前記検索条件に対し前記個人情報のプロファイル、位置またはシチュエーションに基づく情報を付加する工程を有するという構成を有している。この構成により、利用者のプロファイルに適合する情報を提供することができることとなる。
【００１９】
本発明における情報提供方法は、他人の情報提供装置と通信して得た他のシチュエーションに基づく情報を前記検索条件に付加する工程を有するという構成を有している。この構成により、複数の利用者のシチュエーションに適合する情報を提供することができることとなる。
【００２０】
本発明における情報提供方法は、前記表示部の表示環境を取得し、前記表示環境に合わせて情報を作成する工程を有するという構成を有している。この構成により、端末の表示環境に適合した情報表示が可能となり、使用する端末を替える場合の利用者の操作を軽減することができることとなる。
【００２１】
本発明における記録媒体は、請求項１２ないし１５のいずれかに記載の情報提供方法における各手順を実行させるための情報提供プログラムを記録したコンピュータ読み取り可能という構成を有している。この構成により、利用者は情報提供プログラムの容易な移動が可能となり、使用する端末を替える場合の操作を軽減することができることとなる。
【００２２】
本発明における情報提供システムは、情報を格納したサーバと、利用者により情報を入力する入力部と前記サーバからの情報を表示する表示部とを有する端末とがコンピュータネットワークを介して接続された情報提供システムにおいて、前記端末は、利用者のＩＤおよび操作履歴からなる個人情報と、ネットワークを介して通信する通信手段と、現在時刻を取得する時刻取得手段と、前記入力部から入力した利用者の操作指示を蓄積し、前記操作の時刻情報に対応する操作履歴を検出する個人情報管理手段と、検出した操作履歴から前記サーバへの検索要求を作成する検索要求作成手段と、検索結果から表示情報を作成する表示情報作成手段と、前記入力部から利用者の操作指示を入力し前記表示部に表示情報を出力する入出力手段とを有し、前記操作の時刻に対応する前記操作履歴から前記操作履歴に対応する現在の情報を前記サーバから検索して前記表示部に表示するという構成を有している。この構成により、利用者による操作を必要とせずに操作履歴に基づいた情報を提供することができることとなる。
【００２３】
本発明における情報提供システムは、前記サーバが利用者の個人情報を含む情報提供プログラムを格納するプログラム格納領域を備え、利用者による端末変更の指示、または利用者による端末利用停止の操作に基づき、前記端末は前記ネットワークを介して前記情報提供プログラムを前記サーバの前記プログラム格納領域に格納し、前記情報提供プログラムをいずれかの端末で使用する場合、前記情報提供プログラムを前記プログラム格納領域から使用する端末に移動するという構成を有している。この構成により、利用者が複数の端末を使用することができることとなる。
【００２４】
本発明における情報提供システムは、前記サーバが、前記プログラム格納領域に格納した情報提供プログラムの処理を続行するという構成を有している。この構成により、端末の不使用期間中にも処理を継続することができる。
【００２５】
本発明における情報提供システムは、前記端末が前記情報提供プログラムを格納しまたは前記情報提供プログラムを読み出す記録媒体の入出力手段を備えるという構成を有している。この構成により、利用者が複数の端末を使用できることとなる。
【００２６】
【発明の実施の形態】
以下、添付図面に基づき、本発明の第１ないし第１８の実施の形態を詳細に説明する。
（第１の実施の形態）
図１を参照して、本発明の第１の実施の形態における情報提供装置の構成を説明する。図１において、サーバ１０１１〜１０１３は情報を管理して提供し、ネットワーク１０２１はサーバ１０１１〜１０１３と、利用者が操作して入力した情報をサーバ１０１１〜１０１３に出力しサーバ１０１１〜１０１３が提供した情報を入力する端末１０３１とを接続し、端末１０３１は情報提供装置１１０１と、利用者の操作を情報として入力する入力部１０４１と、情報を入力して利用者に表示する表示部１０５１とを有する。また、情報提供装置１１０１は、利用者のＩＤ１３１１および操作履歴１３２１からなる個人情報１３０１と、通信手段１１１１と、時刻取得手段１１２１と、個人情報管理手段１１３１と、検索要求作成手段１１４１と、表示情報作成手段１１５１と、入出力手段１１６１とを有し、これらの手段を制御する装置である。また、ネットワーク１０２１で接続されたサーバ１０１１〜１０１３と情報提供装置１１０１を有する端末１０３１とにより情報提供システムを構成する。なお、情報提供システムの構成は、以下、全ての実施の形態において同様である。また、本発明の情報提供装置は、ソフトウェアで構成してもよく、個人情報はソフトウェアを格納するメモリの記憶領域に記憶させることができる。
【００２７】
また、通信手段１１１１はネットワークを介して通信を行う手段であり、時刻取得手段１１２１は現在時刻を取得する手段であり、個人情報管理手段１１３１は端末１０３１の入力部１０４１から受信した利用者の操作指示を蓄積し、時刻などのキー情報に対応する操作履歴１３２１を検出する手段であり、検索要求作成手段１１４１は時刻などのキー情報に対応して検出した操作履歴１３２１からサーバへの検索要求を作成する手段であり、表示情報作成手段１１５１はサーバの検索結果から表示情報を作成し、入出力手段１１６１は端末１０３１の入力部１０４１からの利用者の操作指示を入力し端末１０３１の表示部１０５１に表示情報を出力する手段である。
【００２８】
次に、図１とともに図２に示すフローチャートを参照して、本発明の第１の実施の形態における情報提供装置の動作を説明する。なお、図２中のＳ１０１、Ｓ１０２、・・・、Ｓ１０９は処理の手順を示す番号である。まず、情報提供装置１１０１が起動して処理を開始し（ステップＳ１０１（以下ステップの文字は省略する））、時刻取得手段１１２１が取得した現在時刻を確認し（Ｓ１０２）、個人情報管理手段１１３１に現在時刻を渡して次に実行すべき操作履歴１３２１を取得する（Ｓ１０３）。次に、時刻取得手段１１２１が取得した現在時刻を確認し（Ｓ１０４）、Ｓ１０３の操作履歴１３２１の実行時刻になったか判断して（Ｓ１０５）、実行時刻になっていない場合にはＳ１０４の処理に戻る。実行時刻になった場合にはステップＳ１０６の処理に移行する。次に、検索要求作成手段１１４１は利用者のＩＤ１３１１と取得した操作履歴１３２１とからなる個人情報１３０１に基づき検索要求を作成し（Ｓ１０６）、通信手段１１１１を通じサーバ１０１１〜１０１３に検索要求を送信して検索結果を取得し、入出力手段１１６１を通じて端末１０３１の表示部１０５１に表示する（Ｓ１０７）。次に、利用者からの利用停止要求の有無を確認し（Ｓ１０８）、無い場合はＳ１０３へ移行する。利用停止要求がある場合は処理を終了する（Ｓ１０９）。
【００２９】
上記の処理を利用する場合の例としては、情報提供装置１１０１により、利用者の操作履歴に基づいて、定期的に購読しているインターネット上のコンテンツを検索して提供する場合等があり、情報検索における利用者の操作負担を大幅に軽減することができる。
以上説明したように、本発明の第１の実施の形態における情報提供装置は、利用者のＩＤおよび操作履歴からなる個人情報と、通信手段と、時刻取得手段と、個人情報管理手段と、検索要求作成手段と、表示情報作成手段と、入出力手段ととにより、現在時刻に対応する利用者の操作履歴に基づいて自動的にサーバを検索するよう構成したので、利用者による操作を必要とせずに情報を提供することが可能になる。
【００３０】
（第２の実施の形態）
次に、図３を参照して、本発明の第２の実施の形態における情報提供装置の構成を説明する。図３において、サーバ２０１１〜２０１３は情報を管理し提供し、ネットワーク２０２１はサーバ２０１１〜２０１３と、利用者が操作する情報をサーバ２０１１〜２０１３に出力しサーバ２０１１〜２０１３が提供した情報を入力する端末２０３１とを接続し、端末２０３１は情報提供装置２１０１と、利用者の操作を情報として入力する入力部２０４１と、情報を入力して利用者に表示する表示部２０５１とからなる。また、情報提供装置２１０１は、利用者のＩＤ２３１１、操作履歴２３２１およびプロファイル２３３１等からなる個人情報２３０１と、通信手段２１１１と、時刻取得手段２１２１と、個人情報管理手段２１３１と、検索要求作成手段２１４１と、表示情報作成手段２１５１と、入出力手段２１６１とを有し、これらの手段を制御する装置である。
【００３１】
本実施の形態において、プロファイル２３３１は嗜好２３４１、目的２３５１、移動先２３６１等からなる情報であり、通信手段２１１１はネットワーク２０２１を介して通信を行う手段である。また、時刻取得手段２１２１は現在時刻を取得する手段であり、個人情報管理手段２１３１は端末の入力部２０４１から受信した利用者の操作指示を蓄積し、時刻などのキー情報に対応する操作履歴２３２１を検出する手段である。また、検索要求作成手段２１４１は検出した操作履歴２３２１とプロファイル２３３１からサーバ２０１１〜２０１３への検索要求を作成する手段である。また、表示情報作成手段２１５１はサーバ２０１１〜２０１３の検索結果から表示情報を作成し、入出力手段２１６１は端末２０３１の入力部２０４１から利用者の操作指示を入力し端末の表示部２０５１に表示情報を出力する手段である。
【００３２】
次に、図３とともに図４に示すフローチャートを参照して、本発明の第２の実施の形態における情報提供装置の動作を説明する。なお、図４中のＳ２０１、Ｓ２０２、・・・、Ｓ２１０は処理の手順を示す番号である。まず、情報提供装置２１０１が起動して処理を開始して（Ｓ２０１）、時刻取得手段２１２１が取得した現在時刻を確認し（Ｓ２０２）、個人情報管理手段２１３１に現在時刻を渡して次に実行すべき操作履歴を取得する（Ｓ２０３）。次に、時刻取得手段２１２１が取得した現在時刻を確認し（Ｓ２０４）、Ｓ２０３の操作履歴２３２１の実行時刻になったか判断して（Ｓ２０５）、実行時刻になっていない場合にはＳ２０４の処理に戻る。実行時刻になった場合にはＳ２０６の処理に移行する。
次に、検索要求作成手段２１４１は取得した操作履歴２３２１からなる個人情報２３０１に基づき利用者のＩＤに対応する検索要求を作成し（Ｓ２０６）、嗜好２３４１、目的２３５１、移動先２３６１からなるプロファイル２３３１を検索条件に追加し（Ｓ２０７）、通信手段２１１１を通じてサーバ２０１１〜２０１３に検索要求を送信して検索結果を取得し、入出力手段２１６１を通じて端末２０３１の表示部２０５１に表示する（Ｓ２０８）。次に、利用者からの利用停止要求の有無を確認し（Ｓ２０９）、無い場合はＳ２０３へ移行する。利用停止要求がある場合は処理を終了する（Ｓ２１０）。
【００３３】
以上説明したように、本発明の第２の実施の形態における情報提供装置は、利用者のＩＤ、操作履歴およびプロファイルからなる個人情報と、通信手段と、時刻取得手段と、個人情報管理手段と、検索要求作成手段と、表示情報作成手段と、入出力手段とにより、現在時刻に対応する利用者の操作履歴とプロファイルに基づいてサーバを検索するよう構成したので、利用者のプロファイルに適合する情報を提供することができる。
【００３４】
（第３の実施の形態）
次に、図５を参照して、本発明の第３の実施の形態における情報提供装置の構成を説明する。図５において、サーバ３０１１〜３０１３は情報を管理し提供し、ネットワーク３０２１はサーバ３０１１〜３０１３と、利用者が操作する情報をサーバ３０１１〜３０１３に出力しサーバ３０１１〜３０１３が提供した情報を入力する端末３０３１とを接続し、端末３０３１は情報提供装置３１０１と、利用者の操作を情報として入力する入力部３０４１と、情報を入力して利用者に表示する表示部３０５１とを有する。
情報提供装置３１０１は、利用者のＩＤ３３１１、操作履歴３３２１、プロファイル３３３１および位置３３７１からなる個人情報３３０１と、通信手段３１１１と、時刻取得手段３１２１と、個人情報管理手段３１３１と、検索要求作成手段３１４１と、表示情報作成手段３１５１と、入出力手段３１６１と、位置情報取得手段３１７１とを有し、これらの手段を制御する装置である。
【００３５】
本実施の形態において、プロファイル３３３１は嗜好３３４１、目的３３５１、移動先３３６１からなる情報である。また、通信手段３１１１はネットワークを介して通信を行う手段であり、時刻取得手段３１２１は現在時刻を取得する手段であり、個人情報管理手段３１３１は端末の入力部３０４１から受信した利用者の操作指示を蓄積し、時刻などのキー情報に対応する操作履歴３３２１を検出する手段である。また、検索要求作成手段３１４１は検出した操作履歴３３２１、プロファイル３３３１および位置３３７１からサーバ３０１１〜３０１３への検索要求を作成する手段であり、表示情報作成手段３１５１は検索結果から表示情報を作成し、入出力手段３１６１は端末３０３１の入力部３０４１から利用者の操作指示を入力し端末の表示部３０５１に表示情報を出力する手段であり、位置情報取得手段３１７１は利用者の位置を取得する手段である。
【００３６】
次に、図５とともに図６に示すフローチャートを参照して、本発明の第３の実施の形態における情報提供装置の動作を説明する。なお、図６中のＳ３０１、Ｓ３０２、・・・、Ｓ３１１は処理の手順を示す番号である。まず、情報提供装置３１０１が起動して処理を開始して（Ｓ３０１）、時刻取得手段３１２１が取得した現在時刻を確認し（Ｓ３０２）、個人情報管理手段３１３１に現在時刻を渡して次に実行すべき操作履歴を取得する（Ｓ３０３）。次に、時刻取得手段３１２１が取得した現在時刻を確認し（Ｓ３０４）、Ｓ３０３の操作履歴の実行時刻になったか判断して（Ｓ３０５）、実行時刻になっていない場合にはＳ３０４の処理に戻る。実行時刻になった場合にはＳ３０６の処理に移行する。
【００３７】
次に、検索要求作成手段３１４１は取得した操作履歴３３２１からなる個人情報３３０１に基づき利用者のＩＤに対応する検索要求を作成し（Ｓ３０６）、嗜好３３４１、目的３３５１、移動先３３６１からなるプロファイル３３３１を検索条件に追加し（Ｓ３０７）、位置情報取得手段３１７１によって取得した位置３３７１を検索条件に追加し（Ｓ３０８）、通信手段３１１１を通じてサーバ３０１１〜３０１３に検索要求を送信して検索結果を取得し、入出力手段３１６１を通じて端末３０３１の表示部３０５１に表示する（Ｓ３０９）。次に、利用者からの利用停止要求の有無を確認し（Ｓ３１０）、無い場合はＳ３０３へ移行する。利用停止要求がある場合は処理を終了する（Ｓ３１１）。
【００３８】
上記の処理を利用する場合の例としては、個人情報内のプロファイル３３３１に目的３３５１や移動先３３６１などを登録した利用者が、情報提供装置３１０１を搭載した端末３０３１を持って移動する際に、移動経路の各地点においてその場所に関連する情報の提供を受けることができることである。
【００３９】
以上説明したように、本発明の第３の実施の形態における情報提供装置は、利用者のＩＤ、操作履歴、プロファイルおよび位置からなる個人情報と、通信手段と、時刻取得手段と、個人情報管理手段と、検索要求作成手段と、表示情報作成手段と、入出力手段と、位置情報取得手段により、現在時刻に対応する利用者の操作履歴、プロファイルおよび位置に基づいてサーバを検索するよう構成したので、利用者の位置に関連する情報を自動的に受けることができる。
【００４０】
（第４の実施の形態）
次に、図７を参照して、本発明の第４の実施の形態における情報提供装置の構成を説明する。図７において、サーバ４０１１〜４０１３は情報を管理し提供し、ネットワーク４０２１はサーバ４０１１〜４０１３と、利用者が操作する情報をサーバ４０１１〜４０１３に出力しサーバ４０１１〜４０１３が提供した情報を入力する端末４０３１とを接続し、端末４０３１は情報提供装置４１０１と、利用者の操作を情報として入力する入力部４０４１と、情報を入力して利用者に表示する表示部４０５１とからなる。情報提供装置４１０１は、利用者のＩＤ４３１１、操作履歴４３２１、プロファイル４３３１、位置４３７１およびシチュエーション４３８１からなる個人情報４３０１と、通信手段４１１１と、時刻取得手段４１２１と、個人情報管理手段４１３１と、検索要求作成手段４１４１と、表示情報作成手段４１５１と、入出力手段４１６１と、位置情報取得手段４１７１とを有し、これらの手段を制御する装置である。
【００４１】
また、プロファイル４３３１は嗜好４３４１、目的４３５１、移動先４３６１からなる情報であり、シチュエーション４３８１は境遇４３９１、状況４４０１、場面４４１１からなる情報である。通信手段４１１１はネットワーク４０２１を介して通信を行う手段であり、時刻取得手段４１２１は現在時刻を取得する手段であり、個人情報管理手段４１３１は端末４０３１の入力部４０４１から受信した利用者の操作指示を蓄積し、時刻などのキー情報に対応する操作履歴４３２１を検出する手段である。検索要求作成手段４１４１は検出した操作履歴４３２１、プロファイル４３３１、位置４３７１およびシチュエーション４３８１からサーバ４０１１〜４０１３への検索要求を作成する手段であり、表示情報作成手段４１５１は検索結果から表示情報を作成する。入出力手段４１６１は端末の入力部４０４１から利用者の操作指示を入力し端末４０３１の表示部４０５１に表示情報を出力する手段であり、位置情報取得手段４１７１は利用者の位置を取得する手段である。
【００４２】
次に、図７とともに図８に示すフローチャートを参照して、本発明の第４の実施の形態における情報提供装置の動作を説明する。なお、図８中のＳ４０１、Ｓ４０２、・・・、Ｓ４１２は処理の手順を示す番号である。まず、情報提供装置４１０１が起動して処理を開始して（Ｓ４０１）、時刻取得手段４１２１が取得した現在時刻を確認し（Ｓ４０２）、個人情報管理手段４１３１に現在時刻を渡して次に実行すべき操作履歴４３２１を取得する（Ｓ４０３）。次に、時刻取得手段４１２１が取得した現在時刻を確認し（Ｓ４０４）、Ｓ４０３の操作履歴の実行時刻になったか判断して（Ｓ４０５）、なっていない場合にはＳ４０４の処理に戻る。実行時刻になった場合にはＳ４０６の処理に移行する。
【００４３】
次に、検索要求作成手段４１４１は取得した操作履歴４３２１からなる個人情報４３０１に基づき利用者のＩＤに対応する検索要求を作成し（Ｓ４０６）、嗜好４３４１、目的４３５１、移動先４３６１からなるプロファイル４３３１を検索条件に追加し（Ｓ４０７）、位置情報取得手段４１７１によって取得した位置４３７１を検索条件に追加し（Ｓ４０８）、境遇４３９１、状況４４０１、場面４４１１からなるシチュエーション４３８１を検索条件に追加し（Ｓ４０９）、通信手段４１１１を通じてサーバ４０１１〜４０１３に検索要求を送信して検索結果を取得し、入出力手段４１６１を通じて端末４０３１の表示部４０５１に表示する（Ｓ４１０）。次に、利用者からの利用停止要求の有無を確認し（Ｓ４１１）、無い場合は４００３へ移行する。利用停止要求がある場合は処理を終了する（Ｓ４１２）。
【００４４】
以上説明したように、本発明の第４の実施の形態における情報提供装置は、利用者のＩＤ、操作履歴、プロファイル、位置およびシチュエーションからなる個人情報と、通信手段と、時刻取得手段と、個人情報管理手段と、検索要求作成手段と、表示情報作成手段と、入出力手段と、位置情報取得手段とにより、現在時刻に対応する利用者の操作履歴、プロファイル、位置およびシチュエーションに基づいてサーバを検索するよう構成したので、利用者のシチュエーションに適合する情報を提供することが可能になる。
【００４５】
（第５の実施の形態）
次に、図９を参照して、本発明の第５の実施の形態における情報提供装置の構成を説明する。図９において、サーバ５０１１〜５０１３は情報を管理し提供し、ネットワーク５０２１はサーバ５０１１〜５０１３と、利用者が操作する情報をサーバ５０１１〜５０１３に出力しサーバ５０１１〜５０１３が提供した情報を入力する端末５０３１とを接続し、端末５０３１は情報提供装置５１０１と、利用者の操作を情報として入力する入力部５０４１と、情報を入力して利用者に表示する表示部５０５１とからなる。情報提供装置５１０１は、利用者のＩＤ５３１１、操作履歴５３２１、プロファイル５３３１、位置５３７１およびシチュエーション５３８１からなる個人情報５３０１と、通信手段５１１１と、時刻取得手段５１２１と、個人情報管理手段５１３１と、検索要求作成手段５１４１と、表示情報作成手段５１５１と、入出力手段５１６１と、位置情報取得手段５１７１とを有し、これらの手段を制御する装置である。
【００４６】
プロファイル５３３１は嗜好５３４１、目的５３５１、移動先５３６１からなる情報であり、シチュエーション５３８１は境遇５３９１、状況５４０１、場面５４１１からなる情報である。また、通信手段５１１１はネットワーク５０２１を介して通信を行う手段であり、時刻取得手段５１２１は現在時刻を取得する手段であり、個人情報管理手段５１３１は端末５０３１の入力部から受信した利用者の操作指示を蓄積し、時刻などのキー情報に対応する操作履歴を検出する手段である。検索要求作成手段５１４１は検出した操作履歴、プロファイル、位置およびシチュエーションからサーバへの検索要求を作成する手段である。表示情報作成手段５１５１は検索結果から表示情報を作成する。入出力手段５１６１は端末５０３１の入力部５０４１から利用者の操作指示を入力し端末５０３１の表示部５０５１に表示情報を出力する手段である。位置情報取得手段５１７１は利用者の位置を取得する手段である。
【００４７】
次に、図９とともに図１０に示すフローチャートを参照して、本発明の第５の実施の形態における情報提供装置の動作を説明する。なお、図１０中のＳ５０１、Ｓ５０２、・・・、Ｓ５１４は処理の手順を示す番号である。まず、情報提供装置５１０１が起動して処理を開始して（Ｓ５０１）、時刻取得手段５１２１が取得した現在時刻を確認し（Ｓ５０２）、個人情報管理手段５１３１に現在時刻を渡して次に実行すべき操作履歴を取得する（Ｓ５０３）。次に、時刻取得手段５１２１が取得した現在時刻を確認し（Ｓ５０４）、Ｓ５０３の操作履歴５３２１の実行時刻になったか判断して（Ｓ５０５）、なっていない場合にはＳ５０４の処理に戻る。実行時刻になった場合にはＳ５０６の処理に移行する。
【００４８】
次に、検索要求作成手段５１４１は取得した操作履歴５３２１からなる個人情報５３０１に基づき利用者のＩＤに対応する検索要求を作成し（Ｓ５０６）、嗜好５３４１、目的５３５１、移動先５３６１からなるプロファイル５３３１を検索条件に追加し（Ｓ５０７）、位置情報取得手段５１７１によって取得した位置５３７１を検索条件に追加し（Ｓ５０８）、通信手段５１１１を通じて他の情報提供装置と通信して他の個人情報５３０１の一部を取得し（Ｓ５０９）、取得した個人情報５３０１をシチュエーション５３８１に反映し（Ｓ５１０）、境遇５３９１、状況５４０１、場面５４１１からなるシチュエーション５３８１を検索条件に追加し（Ｓ５１１）、通信手段５１１１を通じてサーバ５０１１〜５０１３に検索要求を送信して検索結果を取得し、入出力手段５１６１を通じて端末５０３１の表示部５０５１に表示する（Ｓ５１２）。次に、利用者からの利用停止要求の有無を確認し（Ｓ５１３）、無い場合はＳ５０３へ移行する。利用停止要求がある場合は処理を終了する（Ｓ５１４）。
【００４９】
以上説明したように、本発明の第５の実施の形態における情報提供装置は、利用者のＩＤ、操作履歴、プロファイル、位置およびシチュエーションからなる個人情報と、通信手段と、時刻取得手段と、個人情報管理手段と、検索要求作成手段と、表示情報作成手段と、入出力手段と、位置情報取得手段とにより、現在時刻に対応する利用者の操作履歴、プロファイル、位置および他の個人情報を反映したシチュエーションに基づいてサーバを検索するよう構成したので、例えば状況が似ている複数の利用者のシチュエーションに適合する情報を提供することができる。
【００５０】
（第６の実施の形態）
次に、図１１を参照して、本発明の第６の実施の形態における情報提供装置の構成を説明する。図１１において、サーバ６０１１〜６０１３は情報を管理し提供し、ネットワーク６０２１はサーバ６０１１〜６０１３と、利用者が操作する情報をサーバ６０１１〜６０１３に出力しサーバ６０１１〜６０１３が提供した情報を入力する端末６０３１とを接続し、端末６０３１は情報提供装置６１０１と、利用者の操作を情報として入力する入力部６０４１と、情報を入力して利用者に表示する表示部６０５１とからなる。情報提供装置６１０１は、利用者のＩＤ６３１１、利用者の家族や友人など知人のＩＤ６３１２〜６３１３、操作履歴６３２１、プロファイル６３３１、位置６３７１およびシチュエーション６３８１からなる個人情報６３０１と、通信手段６１１１と、時刻取得手段６１２１と、個人情報管理手段６１３１と、検索要求作成手段６１４１と、表示情報作成手段６１５１と、入出力手段６１６１と、位置情報取得手段６１７１とを有し、これらの手段を制御する装置である。
【００５１】
プロファイル６３３１は嗜好６３４１、目的６３５１、移動先６３６１からなる情報であり、シチュエーション６３８１は境遇６３９１、状況６４０１、場面６４１１からなる情報である。通信手段６１１１はネットワークを介して通信を行う手段であり、時刻取得手段６１２１は現在時刻を取得する手段であり、個人情報管理手段６１３１は端末６０３１の入力部６０４１から受信した利用者の操作指示を蓄積し、時刻などのキー情報に対応する操作履歴６３２１を検出する手段である。また、検索要求作成手段６１４１は検出した操作履歴６３２１、プロファイル６３３１、位置６３７１およびシチュエーション６３８１からサーバ６０１１〜６０１３への検索要求を作成する手段である。表示情報作成手段６１５１は検索結果から表示情報を作成する。また、入出力手段６１６１は端末の入力部６０４１から利用者の操作指示を入力し端末６０３１の表示部６０５１に表示情報を出力する手段である。位置情報取得手段６１７１は利用者の位置を取得する手段である。
【００５２】
次に、図１１とともに図１０に示すフローチャートを参照して、本発明の第６の実施の形態における情報提供装置の動作を説明する。なお、図１０中のＳ５０１、Ｓ５０２、・・・、Ｓ５１４は処理の手順を示す番号である。まず、情報提供装置６１０１が起動して処理を開始して（Ｓ５０１）、時刻取得手段６１２１が取得した現在時刻を確認し（Ｓ５０２）、個人情報管理手段６１３１に現在時刻を渡して次に実行すべき操作履歴６３２１を確認して取得する（Ｓ５０３）。次に、時刻取得手段６１２１が取得した現在時刻を確認し（Ｓ５０４）、Ｓ５０３の操作履歴６３２１の実行時刻になったか判断して（Ｓ５０５）、なっていない場合にはＳ５０４の処理に戻る。実行時刻になった場合にはＳ５０６の処理に移行する。
【００５３】
次に、検索要求作成手段６１４１は取得した操作履歴６３２１からなる個人情報６３０１に基づき利用者のＩＤに対応する検索要求を作成し（Ｓ５０６）、嗜好６３４１、目的６３５１、移動先６３６１からなるプロファイル６３３１を検索条件に追加し（Ｓ５０７）、位置情報取得手段６１７１によって取得した位置６３７１を検索条件に追加し（Ｓ５０８）、通信手段６１１１を通じて個人情報６３０１の知人のＩＤ６３１２〜６３１３を持つ他の情報提供装置と通信して他の個人情報の一部を取得し（Ｓ５０９）、取得した個人情報をシチュエーション６３８１に反映し（Ｓ５１０）、境遇６３９１、状況６４０１、場面６４１１からなるシチュエーション６３８１を検索条件に追加し（Ｓ５１１）、通信手段６１１１を通じてサーバ６０１１〜６０１３に検索要求を送信して検索結果を取得し、入出力手段６１６１を通じて端末６０３１の表示部６０５１に表示する（Ｓ５１２）。次に、利用者からの利用停止要求の有無を確認し（Ｓ５１３）、無い場合はＳ５０３へ移行する。利用停止要求がある場合は処理を終了する（Ｓ５１４）。
【００５４】
以上説明したように、本発明の第６の実施の形態における情報提供装置は、利用者のＩＤ、知人のＩＤ、操作履歴、プロファイル、位置およびシチュエーションからなる個人情報と、通信手段と、時刻取得手段と、個人情報管理手段と、検索要求作成手段と、表示情報作成手段と、入出力手段と、位置情報取得手段とにより、現在時刻に対応する利用者の操作履歴、プロファイル、位置および知人のＩＤによって通信した他の情報提供装置の個人情報に反映したシチュエーションに基づいてサーバを検索するよう構成したので、利用者とその知人のシチュエーションに適合する情報を提供することが可能になる。
【００５５】
（第７の実施の形態）
次に、図１２を参照して、本発明の第７の実施の形態における情報提供装置の構成を説明する。図１２において、サーバ７０１１〜７０１３は情報を管理し提供し、ネットワーク７０２１はサーバ７０１１〜７０１３と、利用者が操作する情報をサーバ７０１１〜７０１３に出力しサーバ７０１１〜７０１３が提供した情報を入力する端末７０３１とを接続し、端末７０３１は情報提供装置７１０１と、利用者の操作を情報として入力する入力部７０４１と、情報を入力して利用者に表示する表示部７０５１とからなる。情報提供装置７１０１は、利用者のＩＤ７３１１、利用者の家族や友人など知人のＩＤ７３１２〜７３１３、操作履歴７３２１、プロファイル７３３１、位置７３７１およびシチュエーション７３８１からなる個人情報７３０１と、通信手段７１１１と、時刻取得手段７１２１と、個人情報管理手段７１３１と、検索要求作成手段７１４１と、表示情報作成手段７１５１と、入出力手段７１６１と、位置情報取得手段７１７１とを有し、これらの手段を制御する装置である。
【００５６】
プロファイル７３３１は嗜好７３４１、目的７３５１、移動先７３６１からなる情報であり、シチュエーション７３８１は境遇７３９１、状況７４０１、場面７４１１からなる情報であり、通信手段７１１１はネットワークを介して通信を行う手段である。時刻取得手段７１２１は現在時刻を取得する手段であり、個人情報管理手段７１３１は端末の入力部から受信した利用者の操作指示を蓄積し、時刻などのキー情報に対応する操作履歴を検出する手段であり、検索要求作成手段７１４１は検出した操作履歴、プロファイル、位置およびシチュエーションからサーバへの検索要求を作成する手段である。また、表示情報作成手段７１５１は検索結果からの表示情報の作成と、表示環境の取得を行う手段であり、入出力手段７１６１は端末の入力部から利用者の操作指示を入力し端末の表示部に表示情報を出力する手段であり、位置情報取得手段７１７１は利用者の位置を取得する手段であり、文書要約手段７１８１は表示情報が、例えば、多すぎまたは大きすぎるなど十分な表示環境がなかった場合に、表示する文字列を要約し、または表示する画像を縮小する手段である。
【００５７】
次に、図１２とともに図１３に示すフローチャートを参照して、本発明の第７の実施の形態における情報提供装置の動作を説明する。なお、図１３中のＳ６０１、Ｓ６０２、・・・、Ｓ６１６は処理の手順を示す番号である。まず、情報提供装置７１０１が起動して処理を開始して（Ｓ６０１）、時刻取得手段７１２１が取得した現在時刻を確認し（Ｓ６０２）、表示情報作成手段７１５１が表示環境を取得し（Ｓ６０３）、個人情報管理手段７１３１に現在時刻を渡して次に実行すべき操作履歴を取得する（Ｓ６０４）。次に、時刻取得手段７１２１が取得した現在時刻を確認し（Ｓ６０５）、Ｓ６０３の操作履歴の実行時刻になったか判断して（Ｓ６０６）、なっていない場合にはＳ６０５の処理に戻る。実行時刻になった場合にはＳ６０７の処理に移行する。
【００５８】
次に、検索要求作成手段７１４１は取得した操作履歴７３２１からなる個人情報７３０１に基づき利用者のＩＤに対応する検索要求を作成し（Ｓ６０７）、嗜好７３４１、目的７３５１、移動先７３６１からなるプロファイル７３３１を検索条件に追加し（Ｓ６０８）、位置情報取得手段７１７１によって取得した位置７３７１を検索条件に追加し（Ｓ６０９）、通信手段７１１１を通じて個人情報７３０１の知人のＩＤ７３１２〜７３１３を持つ他の情報提供装置と通信して他の個人情報の一部を取得し（Ｓ６１０）、取得した個人情報をシチュエーション７３８１に反映し（Ｓ６１１）、境遇７３９１、状況７４０１、場面７４１１からなるシチュエーション７３８１を検索条件に追加し（Ｓ６１２）、通信手段７１１１を通じてサーバ７０１１〜７０１３に検索要求を送信して検索結果を取得し（Ｓ６１３）、Ｓ６０３で取得した表示環境に合わせて文書要約手段７１８１により表示する文字列を要約または表示する画像を縮小し、入出力手段７１６１を通じて端末７０３１の表示部７０５１に表示する（Ｓ６１４）。次に、利用者からの利用停止要求の有無を確認し（Ｓ６１５）、無い場合はＳ６０４へ移行する。利用停止要求がある場合は処理を終了する（Ｓ６１６）。
【００５９】
以上説明したように、本発明の第７の実施の形態における情報提供装置は、利用者のＩＤ、知人のＩＤ、操作履歴、プロファイル、位置およびシチュエーションからなる個人情報と、通信手段と、時刻取得手段と、個人情報管理手段と、検索要求作成手段と、表示情報作成手段と、入出力手段と、位置情報取得手段と、文書要約手段とにより、端末の表示環境の情報を取得し、表示情報に対して十分な表示環境がなかった場合に前記文書要約手段が表示する文字列を要約または表示する画像を縮小することにより、端末環境に応じた情報として表示を行うよう構成したので、端末の表示環境に適合した情報表示が可能となり、使用する端末を替える場合の利用者の操作を軽減することができる。
【００６０】
（第８の実施の形態）
次に、図１４を参照して、本発明の第８の実施の形態における情報提供装置の構成を説明する。図１４において、サーバ８０１１〜８０１３は情報を管理し提供し、ネットワーク８０２１はサーバ８０１１〜８０１３と、利用者が操作する情報をサーバ８０１１〜８０１３に出力しサーバ８０１１〜８０１３が提供した情報を入力する端末８０３１とを接続し、端末８０３１は情報提供装置８１０１と、利用者の操作を情報として入力する入力部８０４１と、情報を入力して利用者に表示しまたは音声情報として出力する表示部８０５１とからなる。情報提供装置８１０１は、利用者のＩＤ８３１１、利用者の家族や友人など知人のＩＤ８３１２〜８３１３、操作履歴８３２１、プロファイル８３３１、位置８３７１およびシチュエーション８３８１からなる個人情報８３０１と、通信手段８１１１と、時刻取得手段８１２１と、個人情報管理手段８１３１と、検索要求作成手段８１４１と、表示情報作成手段８１５１と、入出力手段８１６１と、位置情報取得手段８１７１と、文書要約手段８１８１と、音声変換手段８１９１とを有し、これらの手段を制御する装置である。
【００６１】
プロファイル８３３１は嗜好８３４１、目的８３５１、移動先８３６１からなる情報であり、シチュエーション８３８１は境遇８３９１、状況８４０１、場面８４１１からなる情報であり、通信手段８１１１はネットワークを介して通信を行う手段であり、時刻取得手段８１２１は現在時刻を取得する手段である。また、個人情報管理手段８１３１は端末の入力部から受信した利用者の操作指示を蓄積し、時刻などのキー情報に対応する操作履歴を検出する手段であり、検索要求作成手段８１４１は検出した操作履歴、プロファイル、位置およびシチュエーションからサーバへの検索要求を作成する手段であり、表示情報作成手段８１５１は検索結果からの表示情報の作成と、表示環境の取得を行う手段である。また、入出力手段８１６１は端末の入力部から利用者の操作指示を入力し端末の表示部に表示情報を出力する手段であり、位置情報取得手段８１７１は利用者の位置を取得する手段であり、文書要約手段８１８１は表示情報が、例えば、多すぎまたは大きすぎるなど十分な表示環境がなかった場合に、表示する文字列を要約し、または表示する画像を縮小する手段である。音声変換手段８１９１は表示情報を音声情報に変換する手段である。
【００６２】
次に、図１４とともに図１３に示すフローチャートを参照して、本発明の第８の実施の形態における情報提供装置の動作を説明する。なお、図１３中のＳ６０１、Ｓ６０２、・・・、Ｓ６１６は処理の手順を示す番号である。まず、情報提供装置８１０１が起動して処理を開始して（Ｓ６０１）、時刻取得手段８１２１が取得した現在時刻を確認し（Ｓ６０２）、表示情報作成手段８１５１が表示環境を取得し（Ｓ６０３）、個人情報管理手段８１３１に現在時刻を渡して次に実行すべき操作履歴を取得する（Ｓ６０４）。次に、時刻取得手段８１２１が取得した現在時刻を確認し（Ｓ６０５）、Ｓ６０３の操作履歴の実行時刻になったか判断して（Ｓ６０６）、なっていない場合にはＳ６０６の処理に戻る。実行時刻になった場合にはＳ６０７の処理に移行する。
【００６３】
次に、検索要求作成手段８１４１は取得した操作履歴８３２１からなる個人情報８３０１に基づき利用者のＩＤに対応する検索要求を作成し（Ｓ６０７）、嗜好８３４１、目的８３５１、移動先８３６１からなるプロファイル８３３１を検索条件に追加し（Ｓ６０８）、位置情報取得手段８１７１によって取得した位置８３７１を検索条件に追加し（Ｓ６０９）、通信手段８１１１を通じて個人情報８３０１の知人のＩＤ８３１２〜８３１３を持つ他の情報提供装置と通信して他の個人情報の一部を取得し（Ｓ６１０）、取得した個人情報をシチュエーション８３８１に反映し（Ｓ６１１）、境遇８３９１、状況８４０１、場面８４１１からなるシチュエーション８３８１を検索条件に追加し（Ｓ６１２）、通信手段８１１１を通じてサーバ８０１１〜８０１３に検索要求を送信して検索結果を取得し（Ｓ６１３）、Ｓ６０３で取得した表示環境に合わせて、音声変換手段８１９１により表示する情報を音声情報に変換し、その音声情報を入出力手段８１６１を通じて端末８０３１の音声出力機能を有する表示部８０５１に出力する（Ｓ６１４）。次に、利用者からの利用停止要求の有無を確認し（Ｓ６１５）、無い場合はＳ６０４へ移行する。利用停止要求がある場合は処理を終了する（Ｓ６１６）。
【００６４】
以上説明したように、本発明の第８の実施の形態における情報提供装置は、利用者のＩＤ、知人のＩＤ、操作履歴、プロファイル、位置およびシチュエーションからなる個人情報と、通信手段と、時刻取得手段と、個人情報管理手段と、検索要求作成手段と、表示情報作成手段と、入出力手段と、位置情報取得手段と、文書要約手段と音声変換手段とにより、端末の表示環境において音声情報での出力が必要な際に、音声変換手段が表示情報を音声情報に変換するよう構成したので、端末環境に応じて音声情報として出力することが可能になる。
【００６５】
（第９の実施の形態）
次に、図１５を参照して、本発明の第９の実施の形態における情報提供装置の構成を説明する。図１５において、サーバ９０１１〜９０１３は情報を管理し提供し、ネットワーク９０２１はサーバ９０１１〜９０１３と、利用者が操作する情報をサーバ９０１１〜９０１３に出力しサーバ９０１１〜９０１３が提供した情報を入力する端末９０３１とを接続し、端末９０３１は情報提供装置９１０１と、利用者の操作を情報として入力する入力部９０４１と、情報を入力して利用者に表示しまたは印刷して出力する表示部９０５１とからなる。情報提供装置９１０１は、利用者のＩＤ９３１１、利用者の家族や友人など知人のＩＤ９３１２〜９３１３、操作履歴９３２１、プロファイル９３３１、位置９３７１およびシチュエーション９３８１からなる個人情報９３０１と、通信手段９１１１と、時刻取得手段９１２１と、個人情報管理手段９１３１と、検索要求作成手段９１４１と、表示情報作成手段９１５１と、入出力手段９１６１と、位置情報取得手段９１７１と、文書要約手段９１８１と、音声変換手段９１９１と、印刷情報作成手段９２０１とを有し、これらの手段を制御する装置である。
【００６６】
また、プロファイル９３３１は嗜好９３４１、目的９３５１、移動先９３６１からなる情報であり、シチュエーション９３８１は境遇９３９１、状況９４０１、場面９４１１からなる情報であり、通信手段９１１１はネットワークを介して通信を行う手段であり、時刻取得手段９１２１は現在時刻を取得する手段であり、個人情報管理手段９１３１は端末の入力部９０４１から受信した利用者の操作指示を蓄積し、時刻などのキー情報に対応する操作履歴を検出する手段である。また、検索要求作成手段９１４１は検出した操作履歴９３２１、プロファイル９３３１、位置９３７１およびシチュエーション９３８１からサーバ９０１１〜９０１３への検索要求を作成する手段であり、表示情報作成手段９１５１は検索結果からの表示情報の作成と、表示環境の取得を行う手段であり、入出力手段９１６１は端末の入力部９０４１から利用者の操作指示を入力し端末９０３１の表示部９０５１に表示情報を出力する手段である。また、位置情報取得手段９１７１は利用者の位置を取得する手段であり、文書要約手段９１８１は表示情報に対して十分な表示環境がなかった場合に表示する文字列を要約または表示する画像を縮小する手段であり、音声変換手段９１９１は表示情報を音声情報に変換する手段であり、印刷情報作成手段９２０１は表示情報から印刷情報を作成する手段である。
【００６７】
次に、図１５とともに図１３に示すフローチャートを参照して、本発明の第９の実施の形態における情報提供装置の動作を説明する。なお、図１３中のＳ６０１、Ｓ６０２、・・・、Ｓ６１６は処理の手順を示す番号である。まず、情報提供装置９１０１が起動して処理を開始して（Ｓ６０１）、時刻取得手段９１２１が取得した現在時刻を確認し（Ｓ６０２）、表示情報作成手段９１５１が表示環境を取得し（Ｓ６０３）、個人情報管理手段９１３１に現在時刻を渡して次に実行すべき操作履歴を取得する（Ｓ６０４）。次に、時刻取得手段９１２１が取得した現在時刻を確認し（Ｓ６０５）、Ｓ６０３の操作履歴の実行時刻になったか判断して（Ｓ６０６）、なっていない場合にはＳ６０５の処理に戻り、実行時刻になった場合にはＳ６０７の処理に移行する。
【００６８】
次に、検索要求作成手段９１４１は取得した操作履歴９３２１からなる個人情報９３０１に基づき利用者のＩＤに対応する検索要求を作成し（Ｓ６０７）、嗜好９３４１、目的９３５１、移動先９３６１からなるプロファイル９３３１を検索条件に追加し（Ｓ６０８）、位置情報取得手段９１７１によって取得した位置９３７１を検索条件に追加し（Ｓ６０９）、通信手段９１１１を通じて個人情報９３０１の知人のＩＤ９３１２〜９３１３を持つ他の情報提供装置と通信して他の個人情報の一部を取得し（Ｓ６１０）、取得した個人情報をシチュエーション９３８１に反映し（Ｓ６１１）、境遇９３９１、状況９４０１、場面９４１１からなるシチュエーション９３８１を検索条件に追加し（Ｓ６１２）、通信手段９１１１を通じてサーバ９０１１〜９０１３に検索要求を送信して検索結果を取得し（Ｓ６１３）、Ｓ６０３で取得した表示環境に合わせて、印刷情報作成手段９２０１が表示情報から印刷情報を作成し、入出力手段９１６１を通じて端末９０３１の印刷機能を有する表示部９０５１に出力する（Ｓ６１４）。次に、利用者からの利用停止要求の有無を確認し（Ｓ６１５）、無い場合はＳ６０４へ移行する。利用停止要求がある場合は処理を終了する（Ｓ６１６）。
【００６９】
以上説明したように、本発明の第９の実施の形態における情報提供装置は、利用者のＩＤ、知人のＩＤ、操作履歴、プロファイル、位置およびシチュエーションからなる個人情報と、通信手段と、時刻取得手段と、個人情報管理手段と、検索要求作成手段と、表示情報作成手段と、入出力手段と、位置情報取得手段と、文書要約手段と、音声変換手段と、印刷情報作成手段とにより、端末の表示環境において印刷情報として出力が必要な際に、印刷情報作成手段が表示情報から印刷情報を作成するよう構成したので、端末環境に応じた印刷情報として出力することが可能になる。
【００７０】
（第１０の実施の形態）
次に、図１５とともに図１６に示すフローチャートを参照して、本発明の第１０の実施の形態における情報提供装置の動作を説明する。本発明の第１０の実施の形態における情報提供装置の構成は図１５とともに第９の実施の形態において説明したものと同様あるから説明を省略する。なお、図１６中のＳ７０１、Ｓ７０２、・・・、Ｓ７２０は処理の手順を示す番号である。まず、情報提供装置９１０１が起動して処理を開始して（Ｓ７０１）、時刻取得手段９１２１が取得した現在時刻を確認し（Ｓ７０２）、表示情報作成手段９１５１が表示環境を取得し（Ｓ７０３）、個人情報管理手段９１３１に現在時刻を渡して次に実行すべき操作履歴を取得する（Ｓ７０４）。次に、時刻取得手段９１２１が取得した現在時刻を確認し（Ｓ７０５）、Ｓ７０３の操作履歴の実行時刻になったか判断して（Ｓ７０６）、なっていない場合にはＳ７０５の処理に戻る。実行時刻になった場合にはＳ７０７の処理に移行する。
【００７１】
次に、検索要求作成手段９１４１は取得した操作履歴９３２１からなる個人情報９３０１に基づき利用者のＩＤに対応する検索要求を作成し（Ｓ７０７）、嗜好９３４１、目的９３５１、移動先９３６１からなるプロファイル９３３１を検索条件に追加し（Ｓ７０８）、位置情報取得手段９１７１によって取得した位置９３７１を検索条件に追加し（Ｓ６０９）、入出力手段９１６１が他の情報提供装置との通信の可否を利用者に確認し（Ｓ７１０）、利用者から通信が拒否された場合はＳ７１４に移行し、通信が許可された場合はＳ７１２に移行する（Ｓ７１１）。
【００７２】
通信手段９１１１を通じて個人情報９３０１の知人のＩＤ９３１２〜９３１３を持つ他の情報提供装置と通信して他の個人情報の一部を取得し（Ｓ７１２）、取得した個人情報をシチュエーション９３８１に反映し（Ｓ７１３）、境遇９３９１、状況９４０１、場面９４１１からなるシチュエーション９３８１を検索条件に追加し（Ｓ７１４）、入出力手段９１６１が検索の可否を利用者に確認する（Ｓ７１５）。利用者から検索が拒否された場合はＳ７１９に移行し、通信が許可された場合はＳ７１７に移行する（Ｓ７１６）。通信手段９１１１を通じてサーバ９０１１〜９０１３に検索要求を送信して検索結果を取得し（Ｓ７１７）、Ｓ７０３で取得した表示環境に合わせて、印刷情報作成手段９２０１が表示情報から印刷情報を作成し、入出力手段９１６１を通じて端末９０３１の印刷機能を有する表示部９０５１に出力する（Ｓ７１８）。次に、利用者からの利用停止要求の有無を確認し（Ｓ７１９）、無い場合はＳ７０４へ移行し、利用停止要求がある場合は処理を終了する（Ｓ７２０）。
【００７３】
以上説明したように、本発明の第１０の実施の形態における情報提供装置は、利用者のＩＤ、知人のＩＤ、操作履歴、プロファイル、位置およびシチュエーションからなる個人情報と、通信手段と、時刻取得手段と、個人情報管理手段と、検索要求作成手段と、表示情報作成手段と、入出力手段と、位置情報取得手段と、文書要約手段と、音声変換手段と、印刷情報作成手段とにより、他の情報提供装置またはサーバとの通信を行う前に、利用者に対して通信の可否を確認する構成にしたので、利用者の意思を尊重した上で情報を取得することが可能となる。
【００７４】
（第１１の実施の形態）
次に、図１７を参照して、本発明の第１１の実施の形態における情報提供装置の構成を説明する。図１７において、サーバ１００１１は情報を管理して提供し、サーバ１００１２は利用者のメールを受信してスプールに格納するメールサーバであり、１００１３は利用者が受信したメールを保存するメール蓄積サーバである。ネットワーク１００２１はサーバ１００１１、メールサーバ１００１２、メール蓄積サーバ１００１３、端末１００３１および情報提供装置１０１０１を接続する。端末１００３１は利用者が操作して入力した情報を出力しサーバが提供する情報を入力するもので、利用者の操作を情報として入力する入力部１００４１と、情報を入力して利用者に表示する表示部１００５１と、情報提供装置１０１０１と、情報提供装置１０１０１と同等の情報提供方法を実現するプログラムを格納する記憶媒体１００６１とを有する。情報提供装置１０１０１は、プロファイル１０３３１からなる個人情報１０３０１と、通信手段１０１１１と、個人情報管理手段１０１３１と、表示情報作成手段１０１５１と、入出力手段１０１６１と、文書要約手段１０１８１と、音声変換手段１０１９１と、印刷情報作成手段１０２０１とを有し、これらの手段を制御する装置である。
【００７５】
プロファイル１０３３１はメールアカウント１０４２１、メールサーバアドレス１０４３１およびメール保存アドレス１０４４１からなる情報である。通信手段１０１１１はネットワークを介して通信を行う手段であり、個人情報管理手段１０１３１は端末の入力部１００４１から受信した利用者の操作指示を蓄積し、時刻などのキー情報に対応する操作履歴を検出する手段である。表示情報作成手段１０１５１は検索結果からの表示情報の作成と、表示環境の取得を行う手段であり、入出力手段１０１６１は端末の入力部１００４１から利用者の操作指示を入力し端末の表示部１００５１に表示情報を出力する手段である。文書要約手段１０１８１は表示情報に対して十分な表示環境がなかった場合に表示する文字列を要約または表示する画像を縮小する手段である。音声変換手段１０１９１は表示情報を音声情報に変換する手段であり、印刷情報作成手段１０２０１は表示情報から印刷情報を作成する手段である。
【００７６】
次に、図１７とともに図１８に示すフローチャートを参照して、本発明の第１１の実施の形態における情報提供装置の動作を説明する。なお、図１３中のＳ８０１、Ｓ８０２、・・・、Ｓ８１０は処理の手順を示す番号である。まず、情報提供装置１０１０１が起動して処理を開始し（Ｓ８０１）、表示情報作成手段１０１５１が表示環境を取得して（Ｓ８０２）、通信手段１０１１１によりメールサーバアドレス１０４３１が示すメールサーバ１００１２に新着メールがあるか確認する（Ｓ８０３）。新着メールが無い場合はＳ８０３の処理に戻り、新着メールがある場合はＳ８０５の処理に移行する（Ｓ８０４）。
【００７７】
次に、通信手段１０１１１によりメールサーバアドレス１０４３１が示すメールサーバ１００１２からメールを受信し（Ｓ８０５）、表示情報作成手段１０１５１が前記表示環境に合わせて前記受信メールから表示情報を作成し（Ｓ８０６）、通信手段１０１１１がメール保存アドレス１０４４１にメールを保存して（Ｓ８０７）、表示情報作成手段１０１５１が端末１００３１の表示部１００５１に前記表示情報を表示する（Ｓ８０８）。次に、利用者からの利用停止要求の有無を確認し（Ｓ８０９）、無い場合はＳ８０３へ移行し、利用停止要求がある場合は処理を終了する（Ｓ８１０）。
【００７８】
サーバ１００１１〜１００１１は利用者の個人情報を含む情報提供プログラムを格納するプログラム格納領域を備え、利用者による端末変更の指示、または利用者による端末利用停止の操作に基づき、端末１００３１はネットワーク１００２１０介してその情報提供プログラムをサーバ１００１１〜１００１１のプログラム格納領域に格納し、端末１００３１の使用を再開するとき、または他の端末を使用する場合に、サーバ１００１１〜１００１１のプログラム格納領域から情報提供プログラムを移動することにより、利用者が情報提供プログラムの使用を中断したり再開し、または複数の端末を使用することができる。
【００７９】
また、利用者が端末１００３１の使用を一時停止する場合、ネットワーク１００２１０介して情報提供プログラムをサーバ１００１１〜１００１１のプログラム格納領域に移動し格納して処理を継続させる。そして、利用者が端末１００３１を再度利用する際には、情報提供プログラムを再び端末１００３１に移動することにより、端末１００３１の不使用期間中にもサーバ１００１１〜１００１１の処理を継続することができる。
端末１００３１に利用者の個人情報を含む情報提供プログラムを格納しまたは格納した記録媒体の入出力手段を備え、情報提供プログラムを格納した記録媒体から情報提供プログラムを読み込み、または情報提供プログラムを記録した記録媒体を別の端末に移動して入力することにより、複数の端末で同一の情報提供プログラムを使用できることができる。
【００８０】
以上説明したように、本発明の第１１の実施の形態における情報提供装置は、プロファイルからなる個人情報と、通信手段と、個人情報管理手段と、表示情報作成手段と、入出力手段と、文書要約手段と、印刷情報作成手段とにより、メールサーバから受信した利用者宛のメールをメール保存アドレスが示す先に保存し、受信した利用者宛のメールの全文もしくは要約を利用者の端末に表示する構成としたので、利用者は使用端末や接続先メールサーバへの操作およびメールの管理に関する操作を意識することなくメールを扱うことが可能になる。
【００８１】
【発明の効果】
本発明における情報提供装置は、上記のように構成され、特に、利用者の操作履歴と現在時刻を対応づけて情報を自動的に検索するよう構成したことにより、利用者の操作に先行して情報を提供することができるとともに、様々な情報を検索することにより、情報を検索する際の利用者の操作負担を軽減することができる。
【図面の簡単な説明】
【図１】本発明の第１の実施の形態における情報提供装置の構成を示すブロック図、
【図２】本発明の第１の実施の形態における情報提供装置の処理を示すフローチャート
【図３】本発明の第２の実施の形態における情報提供装置の構成を示すブロック図、
【図４】本発明の第２の実施の形態における情報提供装置の処理を示すフローチャート
【図５】本発明の第３の実施の形態における情報提供装置の構成を示すブロック図、
【図６】本発明の第３の実施の形態における情報提供装置の処理を示すフローチャート
【図７】本発明の第４の実施の形態における情報提供装置の構成を示すブロック図、
【図８】本発明の第４の実施の形態における情報提供装置の処理を示すフローチャート
【図９】本発明の第５の実施の形態における情報提供装置の構成を示すブロック図、
【図１０】本発明の第５及び第６の実施の形態における情報提供装置の処理を示すフローチャート、
【図１１】本発明の第６の実施の形態における情報提供装置の構成を示すブロック図、
【図１２】本発明の第７の実施の形態における情報提供装置の構成を示すブロック図、
【図１３】本発明の第７、第８及び第９の実施の形態における情報提供装置の処理を示すフローチャート、
【図１４】本発明の第８の実施の形態における情報提供装置の構成を示すブロック図、
【図１５】本発明の第９及び第１０の実施の形態における情報提供装置の構成を示すブロック図、
【図１６】本発明の第１０の実施の形態における情報提供装置の処理を示すフローチャート、
【図１７】本発明の第１１の実施の形態における情報提供装置の構成を示すブロック図、
【図１８】本発明の第１１の実施の形態における情報提供装置の処理を示すフローチャート。
【符号の説明】
１０１１、１０１２、１０１３、２０１１、２０１２、２０１３　サーバ
３０１１、３０１２、３０１３、４０１１、４０１２、４０１３　サーバ
５０１１、５０１２、５０１３、６０１１、６０１２、６０１３　　サーバ
７０１１、７０１２、７０１３、８０１１、８０１２、８０１３　　サーバ
９０１１、９０１２、９０１３　　１００１１、１００１２　サーバ
１００１３　サーバ
１０２１、２０２１、３０２１、４０２１、５０２１　ネットワーク
６０２１、７０２１、８０２１、９０２１、１００２１　　ネットワーク
１０３１、２０３１、３０３１、４０３１、５０３１　　端末
６０３１、７０３１、８０３１、９０３１、１００３１　　端末
１０４１、２０４１、３０４１、４０４１、５０４１　　入力部
６０４１、７０４１、８０４１、９０４１、１００４１　　入力部
１０５１、２０５１、３０５１、４０５１、５０５１　　表示部
６０５１、７０５１、８０５１、９０５１、１００５１　　表示部
１１０１、２１０１、３１０１、４１０１、５１０１　　情報提供装置
６１０１、７１０１、８１０１、９１０１、１０１０１　　情報提供装置
１１１１、２１１１、３１１１、４１１１、５１１１　　通信手段
６１１１、７１１１、８１１１、９１１１、１０１１１　　通信手段
１１２１、２１２１、３１２１、４１２１、５１２１　　時刻取得段
６１２１、７１２１、８１２１、９１２１　　時刻取得段
１１３１、２１３１、３１３１、４１３１、５１３１　　個人情報管理手段
６１３１、７１３１、８１３１、９１３１、１０１３１　　個人情報管理手段
１１４１、２１４１、３１４１、４１４１、５１４１　　検索要求作成手段
６１４１、７１４１、８１４１、９１４１　　検索要求作成手段
１１５１、２１５１、３１５１、４１５１、５１５１　　表示情報作成手段
６１５１、７１５１、８１５１、９１５１、１０１５１　　表示情報作成手段
１１６１、２１６１、３１６１、４１６１、５１６１　　入出力手段
６１６１、７１６１、８１６１、９１６１、１０１６１　　入出力手段
３１７１、４１７１、５１７１、６１７１、７１７１　　位置情報取得手段
８１７１、９１７１　位置情報取得手段
７１８１、８１８１、９１８１、１０１８１　　文書要約手段
８１９１、９１９１、１０１９１　　音声変換手段
９２０１、１０２０１　　印刷情報作成手段
１３０１、２３０１、３３０１、４３０１、５３０１　　個人情報
６３０１、７３０１、８３０１、９３０１、１０３０１　　個人情報
１３１１、２３１１、３３１１、４３１１、５３１１　　ＩＤ（利用者）
６３１１、７３１１、８３１１、９３１１　　ＩＤ（利用者）
６３１２、６３１３、７３１２、７３１３、８３１２　　ＩＤ（知人）
８３１３、９３１２、９３１３　　ＩＤ（知人）
１３２１、２３２１、３３２１、４３２１、５３２１　　操作履歴
６３２１、７３２１、８３２１、９３２１　　操作履歴
２３３１、３３３１、４３３１、５３３１、６３３１　　プロファイル
７３３１、８３３１、９３３１、１０３３１　　プロファイル
２３４１、３３４１、４３４１、５３４１、６３４１　　嗜好
７３４１、８３４１、９３４１　　嗜好
２３５１、３３５１、４３５１、５３５１、６３５１　　目的
７３５１、８３５１、９３５１　　目的
２３６１、３３６１、４３６１、５３６１、６３６１　　移動先
７３６１、８３６１、９３６１　　移動先
１０４２１　　メールアカウント
１０４３１　　メールサーバアドレス
１０４４１　　メール保存アドレス
４３８１、５３８１、６３８１、７３８１　　シチュエーション
８３８１、９３８１　　シチュエーション
４３９１、５３９１、６３９１、７３９１、８３９１、９３９１　　境遇
４４０１、５４０１、６４０１、７４０１、８４０１、９４０１　　状況
４４１１、５４１１、６４１１、７４１１、８４１１、９４１１　　場面
【図１】
2004021358.tif 000003
【図２】
2004021358.tif 000004
【図３】
2004021358.tif 000005
【図４】
2004021358.tif 000006
【図５】
2004021358.tif 000007
【図６】
2004021358.tif 000008
【図７】
2004021358.tif 000009
【図８】
2004021358.tif 000010
【図９】
2004021358.tif 000011
【図１０】
2004021358.tif 000012
【図１１】
2004021358.tif 000013
【図１２】
2004021358.tif 000014
【図１３】
2004021358.tif 000015
【図１４】
2004021358.tif 000016
【図１５】
2004021358.tif 000017
【図１６】
2004021358.tif 000018
【図１７】
2004021358.tif 000019
【図１８】
2004021358.tif 000020